(57)【特許請求の範囲】
【請求項１】
被写体像を撮像して画像データを取得するデジタルカメラにおいて、
画像を表示するためのモニタ画面を含む表示手段と、
電源の投入を指示するための第１および第２の電源スイッチと、
前記第１の電源スイッチまたは前記第２の電源スイッチの指示に応じて本体電源の投入を行う電源制御手段と、
前記モニタ画面を覆う扉部材と、
前記第１の電源スイッチのＯＮ／ＯＦＦに連動して前記扉部材を開閉させる開閉機構とを備え、
前記電源制御手段は、前記第１の電源スイッチがＯＮされた場合に本体電源の投入を行う一方、前記第１の電源スイッチがＯＦＦとなっている場合において、前記第２の電源スイッチがＯＮされた場合に、本体電源の投入を行うことを特徴とするデジタルカメラ。
【請求項２】
請求項１に記載のデジタルカメラにおいて、
前記第２の電源スイッチを、他の入力スイッチと兼用したことを特徴とするデジタルカメラ。
【請求項３】
請求項２に記載のデジタルカメラにおいて、
前記第２の電源スイッチとして機能する他の入力スイッチを選択可能としたことを特徴とするデジタルカメラ。
【請求項４】
請求項１に記載のデジタルカメラにおいて、
画像データを取り込んで記録する記録モードや他のモードを選択するためのモード選択手段を備え、
前記電源制御手段は、前記モード切替手段で記録モードが選択されている場合のみ、前記第２の電源スイッチの入力を受け付けることを特徴とするデジタルカメラ。
【請求項５】
請求項１に記載のデジタルカメラにおいて、
前記第２の電源スイッチの有効／無効を選択可能としたことを特徴とするデジタルカメラ。
【請求項６】
請求項１に記載のデジタルカメラにおいて、
前記電源制御手段は、前記第２の電源スイッチが一定時間押下された場合に、本体電源をＯＮまたはＯＦＦさせることを特徴とするデジタルカメラ。
【請求項７】
請求項６に記載のデジタルカメラにおいて、
前記一定の押下時間を任意に設定可能としたことを特徴とするデジタルカメラ。
【請求項８】
請求項４に記載のデジタルカメラにおいて、
前記電源制御手段は、前記第２の電源スイッチにより本体電源が投入されている場合において、前記モード切替手段で前記他のモードが選択された場合には、本体電源をＯＦＦすることを特徴とするデジタルカメラ。
【請求項９】
請求項１に記載のデジタルカメラにおいて、
前記電源制御手段は、前記第１の電源スイッチがＯＦＦとなっている場合において、前記第２の電源スイッチがＯＮされた場合に、前記表示手段には電源の投入を行わないことを特徴とするデジタルカメラ。
【発明の詳細な説明】
【０００１】
【発明の属する技術分野】
この発明は、デジタルカメラに関し、詳細には、電源スイッチのＯＮ／ＯＦＦに連動させて液晶モニタを覆う扉を開閉させるデジタルカメラにおいて、扉を閉じた状態での撮影を容易に行うことが可能なデジタルカメラに関する。
【０００２】
【従来の技術】
近時、液晶モニタを備えたデジタルカメラが普及しており、この液晶モニタの保護部材に関する技術も種々提案されている。例えば、特開平１０−９８６３５号公報の「モニタ保護カバー」では、記録再生部とモニタ部とを備えたカメラ一体型記録再生装置に着脱可能に取り付けられ、モニタ部を保護する機能を有するモニタ保護カバーを備え、このモニタ保護カバーのモニタに対向する面に開閉自在なブラインドを設け、モニタを視認できるように構成した技術が開示されている。
【０００３】
また、特開平１０−９８６３６号公報の「液晶モニタ付き電子スチルカメラ」では、撮影画或いは記録媒体の記録画の再生画像を表示する液晶モニタをカメラ背面の略中央部に配置し、撮影時に被写体を確認する光学ファインダーをカメラ背面の上部に備え、液晶モニタの周辺に保護の突起部を設けた技術が開示されている。
【０００４】
また、特開平１−１１７４４０号公報の「スチルビデオカメラ」では、モニタを保護する背面扉がモニタの前面を開放した状態で再生状態に切り替える一方、この背面扉がモニタの前面を覆う状態で撮影状態に切り替える技術が開示されている。
【０００５】
さらに、近時、電源スイッチのＯＮ／ＯＦＦに連動させて液晶モニタを覆う扉を開閉させる技術も知られている。
【０００６】
【発明が解決しようとする課題】
本発明は、上記に鑑みてなされたものであり、電源スイッチのＯＮ／ＯＦＦに連動させて液晶モニタを覆う扉を開閉させるデジタルカメラにおいて、扉を閉じた状態での撮影を容易に行うことが可能なデジタルカメラを提供することを目的とする。
【０００７】
【課題を解決するための手段】
上述した課題を解決するために、請求項１に係る発明は、被写体像を撮像して画像データを取得するデジタルカメラにおいて、画像データを表示するためのモニタ画面を含む表示手段と、電源の投入を指示するための第１および第２の電源スイッチと、前記第１の電源スイッチまたは前記第２の電源スイッチの指示に応じて本体電源の投入を行う電源制御手段と、前記モニタ画面を覆う扉部材と、前記第１の電源スイッチのＯＮ／ＯＦＦに連動して前記扉部材を開閉させる開閉機構とを備え、前記電源制御手段は、前記第１の電源スイッチがＯＮされた場合に本体電源の投入を行う一方、前記第１の電源スイッチがＯＦＦとなっている場合において、前記第２の電源スイッチがＯＮされた場合に、本体電源の投入を行うものである。
【０００８】
また、請求項２に係る発明は、請求項１に記載のデジタルカメラにおいて、前記第２の電源スイッチを、他の入力スイッチと兼用したものである。
【０００９】
また、請求項３に係る発明は、請求項２に記載のデジタルカメラにおいて、前記第２の電源スイッチとして機能する他の入力スイッチを選択可能としたものである。
【００１０】
また、請求項４に係る発明は、請求項１に記載のデジタルカメラにおいて、画像データを取り込んで記録する記録モードや他のモードを選択するためのモード選択手段を備え、前記電源制御手段は、前記モード切替手段で記録モードが選択されている場合のみ、前記第２の電源スイッチの入力を受け付けるものである。
【００１１】
また、請求項５に係る発明は、請求項１に記載のデジタルカメラにおいて、前記第２の電源スイッチの有効／無効を選択可能としたものである。
【００１２】
また、請求項６に係る発明は、請求項１に記載のデジタルカメラにおいて、前記電源制御手段は、前記第２の電源スイッチが一定時間押下された場合に、本体電源をＯＮまたはＯＦＦさせるものである。
【００１３】
また、請求項７に係る発明は、請求項６に記載のデジタルカメラにおいて、前記一定の押下時間を任意に設定可能としたものである。
【００１４】
また、請求項８に係る発明は、請求項４に記載のデジタルカメラにおいて、前記電源制御手段は、前記第２の電源スイッチにより本体電源が投入されている場合において、前記モード切替手段で前記他のモードが選択された場合には、本体電源をＯＦＦするものである。
【００１５】
また、請求項９に係る発明は、請求項１に記載のデジタルカメラにおいて、前記電源制御手段は、前記第１の電源スイッチがＯＦＦとなっている場合において、前記第２の電源スイッチがＯＮされた場合に、前記表示手段には電源の投入を行わないものである。
【００１６】
【発明の実施の形態】
以下に添付図面を参照して、この発明に係るデジタルカメラの好適な実施の形態を詳細に説明する。
【００１７】
本実施の形態のデジタルカメラの機械的な構成を図１〜図４を参照して説明する。図１はデジタルカメラの外観構成を示す背面図、図２および図３は図１のデジタルカメラの扉機構に係る部分を透視した図、図４は扉機構の扉部材部分の縦断面図を示す。
【００１８】
図１は、デジタルカメラ１００のカメラボディ１００ａの背面を示しており、カメラボディ１００ａの背面には、同図に示す如く、メモリカード扉１、レリーズボタン２、回転モードダイヤル３、ファインダー接眼窓５、電池室蓋６、扉部材７、メイン電源ボタン８、ＤＩＳＰＬＡＹボタン３０、ＭＥＮＵボタン３１、ＥＮＴＥＲボタン３２が設けらている。
【００１９】
また、図２〜図４には、さらに扉機構に関連する部分が詳細に示されており、スイッチ作動部１１、軸１２、軸１３、回転レバー１４、軸１５、クリック板バネ１６、下側レール部２１、上側レール部２２、液晶モニタ１２２、およびメイン電源スイッチ１２９が示されている。これらスイッチ作動部１１、軸１２、軸１３、回転レバー１４、軸１５、クリック板バネ１６、下側レール部２１、上側レール部２２、および扉部材７により扉機構が構成される。
【００２０】
メモリカード扉１は、メモリカード１５０の収容部を覆う扉である。レリーズボタン２、回転モードダイヤル３、ＤＩＳＰＬＡＹボタン３０、ＭＥＮＵボタン３１、およびＥＮＴＥＲボタン３２は、操作部１２３（図５参照）に含まれている。レリーズボタン２は、撮影に際してのレリーズ操作を行うための操作部である。回転モードダイヤル３は、デジタルカメラの動作条件等を設定するためのＳＥＴＵＰモード、撮影して画像を記録するための記録モード、メモリカード１５０（図５参照）に記録された画像を再生するための再生モード、およびメモリカード１５０（図５参照）に記録された画像を消去するための消去モード等を切替選択するための操作部である。ＭＥＮＵボタン３１およびＥＮＴＥＲボタン３２は、回転モードダイヤル３の選択ポジションと関連して操作することにより、液晶モニタ１２２のモニタ画面１２２ａに各種モード状態、撮影画像および再生画像を表示させて、動作モードの変更および選択を行ったり、表示画像を選択したりするための操作部である。
【００２１】
ファインダ接眼窓５は、撮像視野を光学像として観察するための光学ファインダの接眼部である。電地室蓋６は、電池１２７を収容する電池室の蓋であり、この電池室蓋６は電池１２７の交換の際に開閉操作される。
【００２２】
扉部材７は、後述する扉機構を構成し、該扉機構により開閉操作され、図１、図２および図４のような閉状態において液晶モニタ１２２のモニタ画面１２２ａを覆い、図３のような開状態においてモニタ画面１２２ａを使用可能とする。
【００２３】
メイン電源ボタン８は、メイン電源スイッチ１２９をオン／オフ操作するための操作部材であり、スライド操作可能とするためカメラボディ１００ａの背面から若干突出している。このメイン電源スイッチ１２９を第１の電源スイッチとも称する。
【００２４】
図１、図２および図４は、扉機構が閉状態、すなわち液晶モニタ１２２のモニタ画面１２２ａが扉部材７に覆われた状態を示している。このとき、図２に示す電源スイッチ１２９は、メイン電源ボタン８と一体に動作するスイッチ作動部１１により押圧されていないためオフ状態である。ユーザは、この状態で、当該デジタルカメラ１００を携帯し、所望に応じて持ち歩く。ユーザが、当該デジタルカメラ１００により、撮影または再生するときには、メイン電源ボタン８を、図１における右方向にスライドさせ、「ＯＮ」と表示されたオン位置まで移動させる。
【００２５】
メイン電源ボタン８は、回転レバー１４に突設された軸１２に係合している。回転レバー１４は、一端において軸１３に回動可能に軸支されており、該回転レバー１４の他端、すなわち回動端は、扉部材７に突設された軸１５に係合している。このため、メイン電源ボタン８のスライド操作により、回転レバー１４は矢印Ｄ１方向に回動し、扉部材７が矢印Ｄ２方向に移動して、図３に示すような状態となる。
【００２６】
図３の状態では、メイン電源スイッチ１２９は、メイン電源ボタン８に一体に設けられたスイッチ作動部１１により押圧されてオン状態となる。また、扉部材７は、液晶モニタ１２２のモニタ画面１２２ａ上から退避して開状態となり、モニタ画面１２２ａは、扉部材７に覆われていない。
【００２７】
撮影時には、この状態で回転モードダイヤル３を操作して撮影ポジションとし、ファインダ接眼窓５より、光学ファインダを観察して構図を決め、レリーズボタン２を押して撮影を行う。このとき、ＤＩＳＰＬＡＹボタン３０を押せば、液晶モニタ１２２のモニタ画面１２２ａに撮影中の映像が表示される。このモニタ画面１２２ａを、電子ファインダーとして用い、該モニタ画面１２２ａを観察して構図を決めて撮影を行うこともできる。
【００２８】
また、再生時には、回転モードダイヤル３を操作して再生ポジションとすることにより、液晶モニタ１２２のモニタ画面１２２ａに再生画像を表示させる。このとき、ＭＥＮＵボタン３１を操作することにより表示画面を選択することができる。カメラボディ１００ａの内部において、メイン電源ボタン８に一体的に固定されたクリック板バネ１６は、カメラボディ１００ａの内面に設けられた凹凸（図示せず）に係合して、メイン電源ボタン８をオン位置（ＯＮ）および「ＯＦＦ」と表示されたオフ位置に係止させるクリック力を発生させる。
【００２９】
扉部材７は、カメラボディ１００ａの内側においてスライド移動可能にガイドされており、図３の状態ではカメラボディ１００ａの内部に収納される。図示のように、メイン電源ボタン８はカメラボディ１００ａの背面の略中央下部に配置されており、扉機構の回転レバー１４を用いたリンク機構により、扉部材７を作動させるため、該メイン電源ボタン８は扉部材７の移動量に比べて少ない移動量で済む。図１〜図３の場合は、メイン電源ボタン８のスライド移動量と扉部材７のスライド移動量とは約１：４の比率になっている。
【００３０】
図４に示す断面図のように、カメラボディ１００ａの内部には、液晶モニタ１２２が、モニタ画面１２２ａを外側に向けて配設されており、モニタ画面１２２ａの外側に、それを覆うための扉部材７が配置されている。扉部材７は、カメラボディ１００ａに設けられた下側レール部２１および上側レール部２２により、上下縁部をガイドされて移動する。この場合、扉部材７の材質は金属とする。扉部材７を金属製とすると、プラスチック製の場合よりも薄く形成することができ、且つ高い強度を得ることができる。そのため、液晶モニタ１２２の後面から、カメラボディ１００ａの後面までの寸法Ｔを約３ｍｍと薄く形成することができる。
【００３１】
図５は、本実施の形態に係るデジタルカメラのブロック図である。同図において、１００はデジタルカメラを示しており、デジタルカメラ１００は、レンズ系１０１、絞り・フィルター部等を含むメカ機構１０２、ＣＣＤ１０３、ＣＤＳ回路１０４、可変利得増幅器（ＡＧＣアンプ）１０５、Ａ／Ｄ変換器１０６、ＩＰＰ１０７、ＤＣＴ１０８、コーダー１０９、ＭＣＣ１１０、ＤＲＡＭ１１１、ＰＣカードインタフェース１１２、ＣＰＵ１２１、液晶モニタ１２２、操作部１２３、ＳＧ（制御信号生成）部１２６、電池１２７、ＤＣ−ＤＣコンバータ１２８、フォーカスドライバ１３１、パルスモータ１３２、ズームドライバ１３３、パルスモータ１３４、モータドライバ１３５を具備して構成されている。また、ＰＣカードインタフェース１１２を介して着脱可能なＰＣカード１５０が接続されている。
【００３２】
レンズユニットは、レンズ１０１系、絞り・フィルター部等を含むメカ機構１０２からなり、メカ機構１０２のメカニカルシャッタは２つのフィールドの同時露光を行う。レンズ系１０１は、例えば、バリフォーカルレンズからなり、フォーカスレンズ系１０１ａとズームレンズ系１０１ｂとで構成されている。
【００３３】
フォーカスドライバ１３１は、ＣＰＵ１２１から供給される制御信号に従って、フォーカスパルスモータ１３２を駆動して、フォーカスレンズ系１０１ａを光軸方向に移動させる。ズームドライバ１３１は、ＣＰＵ１２１から供給される制御信号に従って、ズームパルスモータ１３４を駆動して、ズームレンズ系１０１ｂを光軸方向に移動させる。また、モータドライバ１３５は、ＣＰＵ１２１から供給される制御信号に従ってメカ機構１０２を駆動し、例えば、絞りの絞り値を設定する。
【００３４】
ＣＣＤ（電荷結合素子）１０３は、レンズユニットを介して入力した映像を電気信号（アナログ画像データ）に変換する。ＣＤＳ（相関２重サンプリング）回路１０４は、ＣＣＤ型撮像素子に対する低雑音化のための回路である。
【００３５】
また、ＡＧＣアンプ１０５は、ＣＤＳ回路１０４で相関２重サンプリングされた信号のレベルを補正する。なお、ＡＧＣアンプ１０５のゲインは、ＣＰＵ１２１により、ＣＰＵ１２１が内蔵するＤ／Ａ変換器を介して設定データ（コントロール電圧）がＡＧＣアンプ１０５に設定されることにより設定される。さらにＡ／Ｄ変換器１０６は、ＡＧＣアンプ１０５を介して入力したＣＣＤ１０３からのアナログ画像データをデジタル画像データに変換する。すなわち、ＣＣＤ１０３の出力信号は、ＣＤＳ回路１０４およびＡＧＣアンプ１０５を介し、またＡ／Ｄ変換器１０６により、最適なサンプリング周波数（例えば、ＮＴＳＣ信号のサブキャリア周波数の整数倍）にてデジタル信号に変換される。
【００３６】
デジタル信号処理部であるＩＰＰ（Image Pre-Processor）１０７は、Ａ／Ｄ変換器１０６から入力したデジタル画像データについて、色差信号（Ｃｂ、Ｃｒ）と輝度信号（Ｙ）に分けて各種処理、補正を行う。また、ＩＰＰ（Image Pre-Processor）１０７は、色差信号（Ｃｂ、Ｃｒ）と輝度信号（Ｙ）とに基づいてビデオ信号を作成し液晶モニタ１２２に出力する。ＤＣＴ１０８およびコーダー（Huffman Encoder/Decoder）は、例えばＪＰＥＧ準拠の画像圧縮・伸長の一過程である直交変換・逆直交変換、並びに、ＪＰＥＧ準拠の画像圧縮・伸長の一過程であるハフマン符号化・復号化等を行う。
【００３７】
さらに、ＭＣＣ（Memory Card Controller）１１０は、圧縮処理された画像を一旦蓄えてＰＣカードインタフェース１１２を介してＰＣカード１５０への記録、或いはＰＣカード１５０からの読み出しを行う。
【００３８】
ＣＰＵ１２１は、ＲＯＭ（不図示）に格納されたプログラムに従ってＲＡＭ（不図示）を作業領域として使用して、操作部１２３からの指示、或いは図示しないリモコン等の外部動作指示に従い、上記デジタルカメラ内部の全動作を制御する。具体的には、ＣＰＵ１２１は、撮影動作、再生動作、自動露出（ＡＥ）動作、自動ホワイトバランス（ＡＷＢ）調整動作、およびＡＦ動作等の制御を行う。
【００３９】
また、カメラ電源部は、電池１２７、ＤＣ−ＤＣコンバータ１２８で構成される。電池１２７には、例えば、ＮｉＣｄ、ニッケル水素、リチウム電池等が用いられ、電池１２７の出力がＤＣ−ＤＣコンバータ１２８で所望の電圧に変換されて各部に供給される。ＣＰＵ１２１は、メイン電源スイッチ１２９（第１の電源スイッチ）のＯＮ／ＯＦＦまたは後述する第２の電源スイッチのＯＮ／ＯＦＦを検出して、ＤＣ−ＤＣコンバータ１２８による各部への電源供給を制御して、デジタルカメラの本体電源の投入／切断の制御を行う（図７および図８参照）。この場合、ＣＰＵ１２１は、メイン電源スイッチ１２９（第１の電源スイッチ）のＯＮに応じて電源投入を行う場合には、デジタルカメラの各部への電源供給を行う一方、第２の電源スイッチのＯＮに応じて電源投入を行う場合には、液晶モニタ１２２を除くデジタルカメラの各部への電源供給を行う。
【００４０】
液晶モニタ１２２は、撮影前および撮影中のデジタル画像データをリアルタイムに表示して電子ファインダーとして使用したり、撮像後のデジタル画像データおよび伸長された復元された記録画像データを再生表示するために用いられる。操作部１２３は、上述したレリーズボタン２、回転モードダイヤル３、ＤＩＳＰＬＡＹボタン３０、ＭＥＮＵボタン３１、およびＥＮＴＥＲボタン３２等を含み、ＣＰＵ１２１に動作指示を与えるためのものである。
【００４１】
上記したデジタルカメラ１００は、上述したように、被写体を撮像して得られる画像データをＰＣカード１５０に記録する記録モードと、ＰＣカード１５０に記録された画像データを再生する再生モードと、撮像した画像データを液晶モニタ１２２に直接表示するモニタリングモード等を備えている。
【００４２】
つぎに、液晶モニタ１２２のモニタ画面１２２ａで第２の電源スイッチの設定に関する説明を行う。電源が投入されている状態で、回転モードダイヤル３で「ＳＥＴＵＰモード」が選択されると、モニタ画面１２２ａにはＳＥＴＵＴメニューが表示され、このＳＥＴＵＴメニューの中から第２の電源スイッチ設定が選択されると、例えば、図６に示すような第２の電源スイッチの設定画面が表示される。
【００４３】
ユーザは、図６に示す第２の電源スイッチの設定画面で、”第２の電源スイッチのＯＮ／ＯＦＦ”、”第２の電源スイッチの押下時間（１秒、２秒、３秒）”、”第２の電源スイッチとして使用するキー（ＤＩＳＰＬＡＹボタン３０、ＭＥＮＵボタン３１、ＥＮＴＥＲボタン３２）の選択”を行う。
【００４４】
この”第２の電源スイッチのＯＮ／ＯＦＦ”の設定で、第２の電源スイッチの有効／無効が設定される。また、”第２の電源スイッチの押下時間”の設定で、第２の電源スイッチのキー操作が有効となる押下時間が設定される。また、”第２の電源スイッチとして使用するキーの選択”で、第２の電源スイッチとして機能するキーが設定される。同図に示す例では、第２の電源スイッチが”ＯＮ”、第２の電源スイッチの押下時間が”２秒”、第２の電源スイッチとして使用するキーとして”ＤＩＳＰＬＡＹボタン３０”が選択されている。
【００４５】
上述したように、上記構成のデジタルカメラ１００では、液晶モニタ１２２のモニタ画面１２２ａを覆う扉部材７の開閉をメイン電源ボタン８の操作に連動して行わせるため、メイン電源ボタン８をオフ位置にすれば、液晶モニタのモニタ画面１２２ａが扉部材７に覆われ、携帯時の液晶モニタ１２２のモニタ画面１２２ａの保護が簡単な操作で確実に行われる。また、メイン電源ボタン８をオン位置にすれば、扉部材７がモニタ画面１２２ａを覆わない状態になるため、その状態で記録から再生に回転モードダイヤル３のポジションを切り替えた場合にも、扉部材７を開けるという余計な操作なしに、再生モードに移行することができる。
【００４６】
つぎに、第２の電源スイッチにより、電源ＯＦＦから電源ＯＮ（撮影可能状態）とする動作を図７のフローチャートを参照して説明する。図７は、第２の電源スイッチにより電源ＯＮ（撮影可能状態）とする動作を説明するためのフローチャートである。ＣＰＵ１２１は電源ＯＦＦ中は、一定時間間隔で以下のフローチャートに示す処理を行っている。
【００４７】
図７において、まず、ＣＰＵ１２１は第１の電源スイッチのキー状態を読み込み（ステップＳ１００）、第１の電源スイッチ（メイン電源スイッチ１２７）がＯＮとなっているか否かを判断する（ステップＳ１０１）。この判断の結果、第１の電源スイッチがＯＮであると判断した場合にはステップＳ１０８に移行してカメラ電源をＯＮとする一方、第１の電源スイッチがＯＦＦであると判断した場合には、ステップＳ１０２に移行する。
【００４８】
ステップＳ１０２では、ＣＰＵ１２１は回転モードダイヤル３の設定される動作モードを読み込み、動作モードが記録モードであるか否かを判断する（ステップＳ１０３）。この判断の結果、動作モードが記録モード以外の他のモードである場合には、当該フローを終了する一方、動作モードが記録モードである場合には、ステップＳ１０４に移行する。
【００４９】
ステップＳ１０４では、ＣＰＵ１２１は第２の電源スイッチの設定が有効か否かを判断する。この判断の結果、第２の電源スイッチの設定が無効と判断した場合には当該フローを終了する一方、第２の電源スイッチの設定が有効と判断した場合にはステップＳ１０５に移行する。
【００５０】
ステップＳ１０５では、ＣＰＵ１２１は第２の電源スイッチのキー状態を読み込み、第２の電源スイッチが押下されているか否かを判断する（ステップＳ１０６）。この判断の結果、第１の電源スイッチが押下されていないと判断した場合には当該フローを終了する一方、第２の電源スイッチが押下されていると判断した場合には、ステップＳ１０７に移行する。
【００５１】
ステップＳ１０７では、ＣＰＵ１２１は第２の電源スイッチの押下時間をカウントし、第２の電源スイッチの押下時間が、設定されている有効押下時間を経過したか否かを判断する（ステップＳ１０８）。この判断の結果、第２の電源スイッチの押下時間が、設定されている有効押下時間を経過していない場合にはステップＳ１００に戻る一方、第２の電源スイッチの押下時間が、設定されている有効押下時間を経過した場合には、ＣＰＵ１２１は、本体電源をＯＮとして（ステップＳ１０９）、当該フローを終了する。なお、この場合には、液晶モニタ１２２への電源の供給は行わない。
【００５２】
すなわち、上記処理では、第１の電源スイッチがＯＦＦ、動作モードが記録モードに設定されており、かつ第２の電源スイッチの設定が有効に設定されている状態で、第２の電源スイッチが設定されている有効押下時間押下されると、デジタルカメラの本体電源が投入され、撮影可能状態に移行する。
【００５３】
つぎに、第２の電源スイッチにより、電源ＯＮ（撮影可能状態）状態から電源ＯＦＦ状態とする動作を図８のフローチャートを参照して説明する。図８は、第２の電源スイッチにより電源ＯＦＦとする動作を説明するためのフローチャートである。ＣＰＵ１２１は電源ＯＮ中は、一定時間間隔で以下のフローチャートに示す処理を行っている。
【００５４】
図８において、まず、ＣＰＵ１２１は第１の電源スイッチのキー状態を読み込み（ステップＳ２００）、第１の電源スイッチがＯＮとなっているか否かを判断する（ステップＳ２０１）。この判断の結果、第１の電源スイッチがＯＮになっていると判断した場合には当該フローを終了する一方、第１の電源スイッチがＯＦＦであると判断した場合には、ステップＳ２０２に移行する。
【００５５】
ステップＳ２０２では、ＣＰＵ１２１は回転モードダイヤル３で設定される動作モードを読み込み、動作モードが記録モードであるか否かを判断する（ステップＳ２０３）。この判断の結果、動作モードが記録モード以外の他のモードである場合には、ステップＳ２０９に移行して本体電源ＯＦＦとする一方、動作モードが記録モードである場合には、ステップＳ２０４に移行する。
【００５６】
ステップＳ２０４では、ＣＰＵ１２１は第２の電源スイッチの設定が有効か否かを判断する。この判断の結果、第２の電源スイッチの設定が無効と判断した場合にはステップＳ２０９に移行して本体電源をＯＦＦとする一方、第２の電源スイッチの設定が有効と判断した場合にはステップＳ２０５に移行する。
【００５７】
ステップＳ２０５では、ＣＰＵ１２１は第２の電源スイッチのキー状態を読み込み、第２の電源スイッチが押下されているか否かを判断する（ステップＳ２０６）。この判断の結果、第２の電源スイッチが押下されていないと判断した場合には当該フローを終了する一方、第２の電源スイッチが押下されていると判断した場合には、ステップＳ２０７に移行する。
【００５８】
ステップＳ２０７では、ＣＰＵ１２１は第２の電源スイッチの押下時間をカウントし、第２の電源スイッチの押下時間が、設定されている有効押下時間を経過したか否かを判断する（ステップＳ２０８）。この判断の結果、第２の電源スイッチの押下時間が、設定されている有効押下時間を経過していない場合にはステップＳ２００に戻る一方、第２の電源スイッチの押下時間が、設定されている有効押下時間を経過した場合には、ＣＰＵ１２１は、本体電源をＯＦＦとして（ステップＳ２０９）、当該フローを終了する。
【００５９】
すなわち、上記処理では、第１の電源スイッチがＯＦＦ、動作モードが記録モードに設定されており、第２の電源スイッチが有効に設定されていて、かつ第２の電源スイッチの押下により撮影可能状態になっている状態で、第２の電源スイッチが設定されている有効押下時間押下されると、デジタルカメラの電源がＯＦＦされる。また、第２の電源スイッチの押下により撮影可能状態になっている状態で、動作モードが記録モード以外の他のモードに変更された場合に、デジタルカメラの電源がＯＦＦされる。
【００６０】
以上説明したように、本実施の形態においては、第１の電源スイッチのＯＮ／ＯＦＦに連動して開閉する扉部材７が閉成されている状態（第１の電源スイッチがＯＦＦの状態）で、第２の電源スイッチがＯＮされた場合に、本体の電源を投入することとしたので、扉部材７が閉成された状態で電源の投入を行うことが可能となる。その結果、液晶モニタ１２２の汚れを防止することができ、また、扉部材７を閉成したまま撮影を行うことが可能となる。
【００６１】
また、本実施の形態においては、第２の電源スイッチがＯＮされて電源が投入される場合に、液晶モニタ１２２への電源の投入を行わないこととしたので、消費電力の大きい液晶モニタ１２２に電源を供給しないで済むこととなり、消費電力を低減できる。
【００６２】
また、本実施の形態においては、設定画面で第２の電源スイッチの有効／無効を選択可能としたので、ユーザのニーズに合わせて第２の電源スイッチを使用して電源を投入するか否かを選択することができ、ユーザの使い勝手が良くなる。
【００６３】
また、本実施の形態においては、第２の電源スイッチを他の入力スイッチと兼用することとしたので、専用の第２の電源スイッチを設ける必要がなくなり、スペース上およびコスト上で有利となる。
【００６４】
また、本実施の形態においては、設定画面で第２の電源スイッチとして機能する他の入力スイッチを選択可能としたので、ユーザが自由に操作性または誤操作を考慮して、第２の電源スイッチとして機能する入力スイッチを任意に選択することができ、ユーザの使い勝手が良くなる。
【００６５】
また、本実施の形態においては、第２の電源スイッチが一定時間押下された場合に、本体電源をＯＮまたはＯＦＦさせることしたので、不用意に電源が投入されるを防止できる。
【００６６】
また、本実施の形態においては、上述の押下時間を設定画面で選択可能としたので、ユーザが第２の電源スイッチの入力が有効となる時間を自由に設定でき、ユーザの使い勝手が良くなる。付言すると、ユーザは、電源の入り易さを望む場合にはこの押下時間を短く設定し、電源が不用意に投入されるのを防止したい場合にはこの押下時間を長く設定すれば良い。
【００６７】
また、本実施の形態においては、回転モードダイヤル３で記録モードが選択されている場合のみ、第２の電源スイッチの入力を受け付けることとしたので、記録モード以外のときに不用意に電源が投入されるのを防止できる。
【００６８】
また、本実施の形態においては、第２の電源スイッチが押下されて電源がＯＮＮとなっている場合に、回転モードダイヤル３で記録モード以外の他のモードが選択された場合には、本体電源をＯＦＦすることとしたので、扉部材が閉成している状態で、例えば、再生モードが選択されると扉部材が閉成したまま液晶モニタが点灯して無駄に電力を消費することを防止できる。
【００６９】
なお、本発明は、上記した実施の形態に限定されるものではなく、発明の要旨を変更しない範囲で適宜変形して実行可能である。
【００７０】
【発明の効果】
請求項１に係る発明によれば、モニタ画面を覆う扉部材と、第１の電源スイッチのＯＮ／ＯＦＦに連動して扉部材を開閉させる開閉機構と備え、電源制御手段は、第１の電源スイッチがＯＮされた場合に本体電源の投入を行う一方、第１の電源スイッチがＯＦＦとなっている場合において、第２の電源スイッチがＯＮされた場合に、本体電源の投入を行うこととしたので、扉部材が閉成された状態で電源の投入を行うことができ、その結果、モニタ画面のＬＣＤの汚れを防止すること可能となると共に、扉部材を閉成したまま容易に撮影を行うことが可能となる。
【００７１】
また、請求項２に係る発明によれば、請求項１に記載のデジタルカメラにおいて、第２の電源スイッチを、他の入力スイッチと兼用することとしたので、請求項１に記載の発明の効果に加えて、専用の第２の電源スイッチを設ける必要がなくなり、スペース上およびコスト上で有利となる。
【００７２】
また、請求項３に係る発明によれば、請求項２に記載のデジタルカメラにおいて、第２の電源スイッチとして機能する他の入力スイッチを選択可能としたので、請求項２に記載の発明の効果に加えて、ユーザが自由に操作性または誤操作を考慮して、第２の電源スイッチとして機能する入力スイッチを任意に選択することができ、ユーザの使い勝手が良くなる。
【００７３】
また、請求項４に係る発明によれば、請求項１に記載のデジタルカメラにおいて、画像データを取り込んで記録する記録モードや他のモードを選択するためのモード選択手段を備え、電源制御手段は、モード切替手段で記録モードが選択されている場合のみ、第２の電源スイッチの入力を受け付けることとしたので、請求項１に記載の発明の効果に加えて、記録モード以外のときに不用意に電源が投入されるのを防止できる。
【００７４】
また、請求項５に係る発明によれば、請求項１に記載のデジタルカメラにおいて、第２の電源スイッチの有効／無効を選択可能としたので、請求項１に記載の発明の効果に加えて、ユーザのニーズに合わせて第２の電源スイッチを使用して電源を投入するか否かを選択することができ、ユーザの使い勝手が良くなる。
【００７５】
また、請求項６に係る発明によれば、請求項１に記載のデジタルカメラにおいて、電源制御手段は、第２の電源スイッチが一定時間押下された場合に、本体電源をＯＮまたはＯＦＦさせることとしたので、請求項１に記載の発明の効果に加えて、不用意に電源が投入されるを防止できる。
【００７６】
また、請求項７に係る発明によれば、請求項６に記載のデジタルカメラにおいて、一定の押下時間を任意に設定可能としたので、請求項６に記載の発明の効果に加えて、ユーザが第２の電源スイッチの入力が有効となる時間を自由に設定でき、ユーザの使い勝手が良くなる。
【００７７】
また、請求項８に係る発明によれば、請求項４に記載のデジタルカメラにおいて、電源制御手段は、第２の電源スイッチにより本体電源が投入されている場合において、モード切替手段で記録モード以外の他のモードが選択された場合には、本体電源をＯＦＦすることとしたので、請求項４に記載の発明の効果に加えて、無駄に電力を消費することを防止できる。
【００７８】
また、請求項９に係る発明によれば、請求項１に記載のデジタルカメラにおいて、電源制御手段は、第１の電源スイッチがＯＦＦとなっている場合において、第２の電源スイッチがＯＮされた場合に、表示手段には電源の投入を行わないこととしたので、請求項１に記載の発明の効果に加えて、消費電力の大きい表示手段に電源を供給しなくて済むこととなり、消費電力を低減できる。
【図面の簡単な説明】
【図１】本実施の形態に係るデジタルカメラの背面から見た外観構成を模式的に示す図である。
【図２】図１のデジタルカメラの扉機構の閉状態における詳細を透視して示す模式図である。
【図３】図１のデジタルカメラの扉機構の開状態における詳細を透視して示す模式図である。
【図４】図１のデジタルカメラの扉機構の閉状態における一部を詳細に示す模式図である。
【図５】本実施の形態に係るデジタルカメラのブロック図である。
【図６】第２の電源スイッチの設定画面を示す図である。
【図７】第２の電源スイッチにより電源ＯＮ（撮影可能状態）とする動作を説明するためのフローチャートである。
【図８】図８は、第２の電源スイッチにより電源ＯＦＦとする動作を説明するためのフローチャートである。
【符号の説明】
１    メモリカード扉
２    レリーズボタン
３    回転モードダイヤル
５    ファインダ接眼窓
６    電池室蓋
７    扉部材
９    メイン電源ボタン
１１  スイッチ作動部
１２、１３、１５  軸
１４    回転レバー
１６    クリック板バネ
２１    下側レール部
２２    上側レール部
１００    デジタルカメラ
１０１    レンズ系
１０１ａ  フォーカスレンズ系
１０１ｂ  ズームレンズ系
１０２    オートフォーカス等を含むメカ機構
１０３    ＣＣＤ（電荷結合素子）
１０４    ＣＤＳ（相関２重サンプリング）回路
１０５    可変利得増幅器（ＡＧＣアンプ）
１０６    Ａ／Ｄ変換器
１０７    ＩＰＰ（Image Pre-Processor)
１０８    ＤＣＴ（Discrete Cosine Transform)
１０９    コーダー（Huffman Encoder/Decoder)
１１０    ＭＣＣ（Memory Card Controller）
１１１    ＲＡＭ（内部メモリ）
１１２    ＰＣカードインタフェース
１２１    ＣＰＵ
１２２    表示部
１２３    操作部
１２６    ＳＧ部
１２７    電池
１２８    ＤＣ−ＤＣコンバータ
１２９    メイン電源スイッチ
１３１    フォーカスドライバ
１３２    フォーカスパルスモータ
１３３    ズームドライバ
１３４    ズームパルスモータ
１３５    モータドライバ
１５０    ＰＣカード
【図１】
0003828320.tif 000002
【図２】
0003828320.tif 000003
【図３】
0003828320.tif 000004
【図４】
0003828320.tif 000005
【図５】
0003828320.tif 000006
【図６】
0003828320.tif 000007
【図７】
0003828320.tif 000008
【図８】
0003828320.tif 000009